(57)【特許請求の範囲】
【請求項１】
前頭被覆用の前側平板と、
後頭被覆用の後側平板とを有し、
前記前側平板の後辺部と前記後側平板の前辺部とが折曲げ部で連結された帽体本体部を備え、
前記前側平板と前記後側平板とが平板状態となることにより扁平状態になる一方、
前記折曲げ部のそれぞれの側頭に対面する部位である側部を互いに接近させることにより、前記前側平板と前記後側平板とを平板状態から湾曲状態として前記折曲げ部を介して展開状態とし、
前記帽体本体部の展開状態を保持する展開状態保持手段を備え、
該展開状態保持手段は、基端部が前記帽体本体部の前記側部を形成する前記折曲げ部に回動可能に軸支された、展開状態を保持又は解除するためのレバー部材を備えると共に、前記レバー部材と前記折曲げ部の前記レバー部材から離間した位置とを連結する連結部材を備え、
前記レバー部材が一方向に回動されると、前記連結部材が引っ張られて前記側部が互いに接近させられて展開状態とされるように構成され、
前記レバー部材を前記一方向に回動させるばね部を設け、
前記レバー部材は、回動軸部により回動自在に設けられ、
前記連結部材は、一端側が前記レバー部材の一部に連結されると共に前記帽体本体部の一部に設けられた孔部から前記帽体本体部の内側に延長されて、他端部が前記帽体本体部の内部にて連結され、
前記側部が互いに接近されることにより、前記ばね部の付勢力により前記レバー部材が前記一方向に回動されて、前記回動軸部の配設位置において前記連結部材に作用する張力作用線は前記回動軸部よりも内側に位置し、前記連結部材の張力によって展開状態が維持される一方、
前記ばね部の付勢力に抗して前記レバー部材を他方向に回動させると、前記連結部材の張力が解放されて展開状態が解除されるように構成されたことを特徴とする折畳み式帽子用帽体。
【請求項２】
前記折曲げ部の前記側部の下部側に前記帽体本体部を展開状態とする際に押圧される被押圧部が設けられると共に、該被押圧部の上側に前記レバー部材が配設されていることを特徴とする請求項１に記載の折畳み式帽子用帽体。
【請求項３】
前記レバー部材はベース部材に回動軸部を介して回動自在に取付けられ、前記ベース部材が前記帽体本体部に対して着脱可能に設けられたことを特徴とする請求項１又は２に記載の折畳み式帽子用帽体。
【請求項４】
前記レバー部材は前記折曲げ部の側部に設けられ、前記帽体本体部が展開状態となると前記レバー部材は先端が上側を向いて前記側部に沿った状態となり、展開状態の前記帽体本体部において前記レバー部材が前記他方向である下方に回動されると前記帽体本体部の展開状態が解除されることを特徴とする請求項1乃至３の何れか一つに記載の折畳み式帽子用帽体。
【請求項５】
前記レバー部材は前記折曲げ部の側部に設けられ、前記帽体本体部が展開状態となると前記レバー部材は先端が下側を向いて前記側部に沿った状態となり、展開状態の前記帽体本体部において前記レバー部材が前記他方向である上方に回動されると前記帽体本体部の展開状態が解除されることを特徴とする請求項１乃至３の何れか一つに記載の折畳み式帽子用帽体。
【請求項６】
頭部を被覆する複数枚の板体を備えた帽体本体部を備え、
前記帽体本体部を折り畳んだ扁平状態から前記帽体本体部を展開状態とし、
前記帽体本体部の展開状態を保持する展開状態保持手段を備え、
該展開状態保持手段は、
基端部が前記帽体本体部の側部に回動可能に軸支された、前記展開状態を保持又は解除するためのレバー部材を備えると共に、前記レバー部材と前記帽体本体部の前記レバー部材から離間した位置とを連結する連結部材を備え、
前記レバー部材を一方向に回動させるように付勢するばね部と、
該レバー部材が前記一方向に回動されたときに前記帽体本体部を展開状態とするように作用する展開保持部材とを有し、
前記レバー部材は、回動軸部により回動自在に設けられ、
前記連結部材は、一端側が前記レバー部材の一部に連結されると共に前記帽体本体部の一部に設けられた孔部から前記帽体本体部の内側に延長されて、他端部が前記帽体本体部の内部にて連結され、
前記ばね部の付勢力により前記レバー部材が前記一方向に回動されて、前記連結部材の張力によってそれぞれの前記側部が互いに接近させられて前記帽体本体部が展開状態となって該展開状態が保持される一方、
前記ばね部の付勢力に抗して前記レバー部材を他方向に回動させると、前記連結部材の張力が解放されて展開状態が解除されるように構成されたことを特徴とする折畳み式帽子用帽体。
【発明の詳細な説明】
【技術分野】
【０００１】
この発明は、折畳み式ヘルメット等の折畳み式帽子に用いる折畳み式帽子用帽体に関する。
【背景技術】
【０００２】
従来、防災用ヘルメット等としての折畳み式帽子が知られている。この折畳み式帽子は、特許文献１に記載されているものがあった。
【０００３】
特許文献１に記載した折畳み式帽子は、平板状態で形状が安定する部材で成形された前頭被覆用の前側弾性平板と、平板状態で形状が安定する部材で成形された後頭被覆用の後側弾性平板とを有し、前側弾性平板の後辺部と後側弾性平板の前辺部は、折曲げ部で連結された帽体本体部を備えており、使用者が着用しない時には帽体本体部を扁平状態にして収容し、災害時等の使用者が着用する時には、折曲げ部の側頭に対面する部位に設けられたレバー部材を押し下げて帽体本体部を展開状態にしてから着用するように構成されている。
【先行技術文献】
【特許文献】
【０００４】
【特許文献１】特開２０１０−５９５９３号公報
【発明の概要】
【発明が解決しようとする課題】
【０００５】
しかしながら、このようなものにあっては、帽体本体部を扁平状態から展開状態にする際、使用者は、レバー部材を操作することにより展開するようにしているが、より簡単に展開状態にできるように操作性を良好にしたものが望まれる。
【０００６】
本発明はこのような問題に鑑みてなされたものであり、小さい力で容易に扁平状態から展開状態にすることができて、災害時等に利便性の高い折畳み式帽子用帽体を提供することを課題としている。
【課題を解決するための手段】
【０００７】
かかる課題を解決するために、請求項１に記載の発明は、前頭被覆用の前側平板と、後頭被覆用の後側平板とを有し、前記前側平板の後辺部と前記後側平板の前辺部とが折曲げ部で連結された帽体本体部を備え、前記前側平板と前記後側平板とが平板状態となることにより扁平状態になる一方、前記折曲げ部のそれぞれの側頭に対面する部位である側部を互いに接近させることにより、前記前側平板と前記後側平板とを平板状態から湾曲状態として前記折曲げ部を介して展開状態とし、前記帽体本体部の展開状態を保持する展開状態保持手段を備え、該展開状態保持手段は、基端部が前記帽体本体部の側面を形成する前記折曲げ部に回動可能に軸支された、展開状態を保持又は解除するためのレバー部材を備えると共に、前記帽体本体部の内部に設けられて前記レバー部材と前記折曲げ部の前記レバー部材から離間した位置とを連結する連結部材を備え、前記レバー部材が一方向に回動されると、前記連結部材が引っ張られて前記側部が互いに接近させられて展開状態とされるように構成され、前記レバー部材を前記一方向に回動させるばね部を設け、前記レバー部材は、回動軸部により回動自在に設けられ、前記連結部材は、一端側が前記帽体本体部の一部に設けられた孔部から外側に引き出されて前記レバー部材の一部に連結されると共に他端側が帽体本体部の内側に設けられ、前記側部が互いに接近されることにより、前記ばね部の付勢力により前記レバー部材が前記一方向に回動されて、前記回動軸部の配設位置において前記連結部材に作用する張力作用線は前記回動軸部よりも内側に位置し、前記連結部材の張力によって展開状態が維持される一方、前記ばね部の付勢力に抗して前記レバー部材を他方向に回動させると、前記連結部材の張力が解放されて展開状態が解除されるように構成されたことを特徴とする。
【０００８】
請求項２に記載の発明は、請求項１に記載の構成に加え、前記折曲げ部の前記側部の下部側に前記帽体本体部を展開状態とする際に押圧される被押圧部が設けられると共に、該被押圧部の上側に前記レバー部材が配設されていることを特徴とする。
【００１０】
請求項３に記載の発明は、請求項１又は２に記載の構成に加え、前記レバー部材はベース部材に回動軸部を介して回動自在に取付けられ、前記ベース部材が前記帽体本体部に対して着脱可能に設けられたことを特徴とする。
【００１１】
請求項４に記載の発明は、請求項１乃至３の何れか一つに記載の構成に加え、前記レバー部材は前記折曲げ部の側部に設けられ、前記帽体本体部が展開状態となると前記レバー部材は先端が上側を向いて前記側部に沿った状態となり、展開状態の前記帽体本体部において前記レバー部材が前記他方向である下方に回動されると前記帽体本体部の展開状態が解除されることを特徴とする。
【００１２】
請求項５に記載の発明は、請求項１乃至３の何れか一つに記載の構成に加え、前記レバー部材は前記折曲げ部の側部に設けられ、前記帽体本体部が展開状態となると前記レバー部材は先端が下側を向いて前記側部に沿った状態となり、展開状態の前記帽体本体部において前記レバー部材が前記他方向である上方に回動されると前記帽体本体部の展開状態が解除されることを特徴とする。
【００１３】
請求項６に記載の発明は、頭部を被覆する複数枚の板体を備えた帽体本体部を備え、前記帽体本体部を折り畳んだ扁平状態から前記帽体本体部を展開状態とし、前記帽体本体部の展開状態を保持する展開状態保持手段を備え、該展開状態保持手段は、基端部が前記帽体本体部の側部に回動可能に軸支された、前記展開状態を保持又は解除するためのレバー部材を備えると共に、前記レバー部材と前記帽体本体部の前記レバー部材から離間した位置とを連結する連結部材を備え、前記レバー部材を一方向に回動させるように付勢するばね部と、該レバー部材が前記一方向に回動されたときに前記帽体本体部を展開状態とするように作用する展開保持部材とを有し、前記レバー部材は、回動軸部により回動自在に設けられ、前記連結部材は、一端側が前記レバー部材の一部に連結されると共に前記帽体本体部の一部に設けられた孔部から前記帽体本体部の内側に延長されて、他端部が前記帽体本体部の内部にて連結され、前記ばね部の付勢力により前記レバー部材が前記一方向に回動されて、前記連結部材の張力によってそれぞれの前記側部が互いに接近させられて前記帽体本体部が展開状態となって該展開状態が保持される一方、前記ばね部の付勢力に抗して前記レバー部材を他方向に回動させると、前記連結部材の張力が解放されて展開状態が解除されるように構成されたことを特徴とする。
【発明の効果】
【００１４】
請求項１に記載の発明によれば、帽体本体部の側部が互いに接近されることにより、ばね部の付勢力によりレバー部材が一方向に回動されて、連結部材の張力によって展開状態が維持されることにより、帽体本体部を展開状態にする際に、側部が互いに接近する方向に帽体本体部を押圧すれば、レバー部材の操作をしなくても帽体本体部を展開状態とし、展開状態を維持できるため、極めて簡単に帽体本体部を展開状態とすると共に展開状態を維持することができる。これにより、小さい力で容易に扁平状態から展開状態にすることができて、災害時等に利便性の高い折畳み式帽子用帽体を提供できる。
【００１５】
請求項２に記載の発明によれば、折曲げ部の側部の下部側に帽体本体部を展開状態とする際に押圧される被押圧部が設けられることにより、使用者が帽体本体部の下側両側部を把持した状態で被押圧部を押圧して帽体本体部を展開状態とすることができるため、より弱い力で展開状態にできる。
【００１６】
請求項３に記載の発明によれば、ばね部により付勢されて前記帽体本体部が展開状態となったとき、回動軸部の配設位置において連結部材に作用する張力作用線は回動軸部よりも内側に位置するように設けられているため、レバー部材は、連結部材の張力によって、他方向側へ回動させる力が作用することなく一方向側に引っ張られて回動最終位置まで回動して固定され、帽体本体部の展開状態が維持されることとなる。これにより、操作性の一層良好な折畳み式帽子用帽体を提供できる。
【００１７】
請求項４に記載の発明によれば、レバー部材はベース部材に回動軸部を介して回動自在に取付けられ、ベース部材が帽体本体部に対して着脱可能に設けられたことにより、レバー部材の修理や交換を容易に行うことができて、長期間使用できる折畳み式帽子用帽体を提供できる。
【００１８】
請求項５に記載の発明によれば、レバー部材が一方向に回動されて帽体本体部が展開状態となるとレバー部材は側部に沿った状態となることにより、展開状態においてレバー部材は展開状態を維持する位置に固定される。また、展開状態の帽体本体部においてレバー部材が他方向に回動されると帽体本体部の展開状態が解除されることにより、使用者は、展開状態の帽体本体部の被押圧部に手を当接させた状態でレバー部材を下方に回動させれば、容易に展開状態を解除できる。これにより、展開状態を確実に維持でき、一層操作性の高い折畳み式帽子用帽体を提供できる。
【００１９】
請求項６に記載の発明によれば、レバー部材が他方向に回動されて帽体本体部が展開状態となるとレバー部材は側部に沿った状態となることにより、展開状態においてレバー部材は展開状態を維持する位置に固定される。また、展開状態においてレバー部材が上方に向けて押圧されると展開状態が解除されることにより、使用者は、展開状態の帽体本体部の被押圧部に手を当接させた状態でレバー部材を上方に回動させれば、容易に展開状態を解除できる。これにより、展開状態を確実に維持でき、一層操作性の高い折畳み式帽子用帽体を提供できる。
【００２０】
請求項７に記載の発明によれば、ばね部の付勢力によりレバー部材が一方向に回動されて帽体本体部が展開状態となって、展開保持部材によって展開状態が保持されることにより、帽体本体部を展開状態とする際に使用者の加える力とばね部の付勢力とがそれぞれ帽体本体部を展開状態とする方向の力として加わることになり、使用者が帽体本体部に加える力は小さい力で済むと共に、帽体本体部の展開状態が維持される。これにより、小さい力で容易に扁平状態から展開状態にすることができて、災害時等に利便性の高い折畳み式帽子用帽体を提供できる。
【図面の簡単な説明】
【００２１】
【図１】この発明の実施の形態１の折畳み式帽子用帽体の、扁平状態における正面側斜め上方から見た斜視図である。
【図２】同実施の形態１の折畳み式帽子用帽体の、扁平状態から展開状態に移行させる途中の状態における正面側斜め上方から見た斜視図である。
【図３】同実施の形態１の折畳み式帽子用帽体の、展開状態における正面側斜め上方から見た斜視図である。
【図４】同実施の形態１の折畳み式帽子用帽体の、展開状態における正面側斜め下方から見た斜視図である。
【図５】同実施の形態１の折畳み式帽子用帽体の、扁平状態から展開状態に移行させる途中の状態におけるＡ−Ａ線断面図である。
【図６】同実施の形態１の折畳み式帽子用帽体の、展開状態におけるＢ−Ｂ線断面図である。
【図７】同実施の形態１の折畳み式帽子用帽体の、レバー部材とベース部材とが帽体本体部から離間された状態を示す、（ａ）正面視方向から見た部分拡大図、（ｂ）正面視斜め上方から見た部分拡大図である。
【図８】この発明の実施の形態２の折畳み式帽子用帽体の、展開状態における正面側斜め上方から見た斜視図である。
【図９】この発明の実施の形態３の折畳み式帽子用帽体の、展開状態における正面側斜め上方から見た斜視図である。
【図１０】この発明の実施の形態４の折畳み式帽子用帽体の、展開状態における正面側斜め上方から見た斜視図である。
【発明を実施するための形態】
【００２２】
［発明の実施の形態１］
以下、この発明の実施の形態１について説明する。
【００２３】
図１乃至図７は、この発明の実施の形態１を示す。
【００２４】
まず、構成を簡単に説明すると、図１乃至図３に示す、この実施の形態１の折畳み式帽子用帽体１１０は災害時用に用いられる折畳み式帽子において、内装材が設けられていない構造のものである。この折畳み式帽子用帽体１１０は、帽体本体部１０Ａに、レバー装置２４等が設けられて構成されている。
【００２５】
図１乃至図３に示す帽体本体部１０Ａは、ポリプロピレン等、剛性が高く、かつ折り曲げに対する強度が高い樹脂により一体成形されている。
【００２６】
この帽体本体部１０Ａは、前辺に連続して庇部１１を有する一枚の板状の前頭被覆用の「前側平板」及び「板体」としての前側平板１２と、一枚の板状の後頭被覆用の「後側平板」及び「板体」としての後側平板１３とを有している。前側平板１２と後側平板１３とは、略平板状態で形状が安定するように形成されている。
【００２７】
前側平板１２は、図１に示すように、正面視略台形に形成された前側平板本体部１２ａｘ、正面視略三角形に形成された左側平板本体部１２ａｙ及び右側平板本体部１２ａｚを備えている。また、前側平板本体部１２ａｘと左側平板本体部１２ａｙとの間には長手方向（図１における上下方向）に沿って帯状の第一ヒンジ部１２ｂｘが、前側平板本体部１２ａｘと右側平板本体部１２ａｚとの間には長手方向に沿って略帯状の第二ヒンジ部１２ｂｙをそれぞれ備えている。
【００２８】
同様に、後側平板１３は、図５に示す通り、正面視略台形に形成された後側平板本体部１３ａｘ、正面視略三角形に形成された左側平板本体部１３ａｙ及び右側平板本体部１３ａｚを備えている。また、後側平板本体部１３ａｘと左側平板本体部１３ａｙとの間には長手方向に沿って帯状の第三ヒンジ部１３ｂｘが、後側平板本体部１３ａｘと右側平板本体部１３ａｚとの間には長手方向に沿って略帯状の第四ヒンジ部１３ｂｙをそれぞれ備えている。
【００２９】
図１及び図３に示す通り、帽体本体部１０Ａを展開した状態で頭部に被れる形状である展開状態（以下単に「展開状態」と称する。）としたときに、前側平板１２及び後側平板１３が湾曲状態となる。具体的には、帽体本体部１０Ａの展開状態において、前側平板１２の各平板本体部１２ａｘ，１２ａｙ，１２ａｚ、後側平板１３の各平板本体部１３ａｘ，１３ａｙ，１３ａｚのそれぞれは、第一〜第四ヒンジ部１２ｂｘ，１２ｂｙ，１３ｂｘ，１３ｂｙから折り曲げられるようになっている。前側平板１２及び後側平板１３が湾曲状態となったとき、前側平板１２の各平板本体部１２ａｘ，１２ａｙ，１２ａｚのそれぞれ、及び、後側平板１３の各平板本体部１３ａｘ，１３ａｙ，１３ａｚのそれぞれは、略平板状態のままである。これにより、展開状態の形成を支障なく行いつつ、頭部の略全域を剛性の高い各平板本体部１２ａｘ，１２ａｙ，１２ａｚ，１３ａｘ，１３ａｙ，１３ａｚで覆うことで落下物等の衝撃から頭部を確実に保護できるようになっている。
【００３０】
前側平板１２の前側平板本体部１２ａｘ、左側平板本体部１２ａｙ、右側平板本体部１２ａｚは板厚が厚く（例えば２．５ｍｍ程度）、剛性が確保されている。一方、第一ヒンジ部１２ｂｘ、第二ヒンジ部１２ｂｙは各平板本体部１２ａｘ，１２ａｙ，１２ａｚよりも板厚が薄く（例えば０．８ｍｍ程度）、折り曲げにより容易に弾性変形するように形成されている。同様に、後側平板１３の後側平板本体部１３ａｘ，左側平板本体部１３ａｙ、右側平板本体部１３ａｚは板厚が厚く形成されて剛性が確保され、一方、第三ヒンジ部１３ｂｘ、第四ヒンジ部１３ｂｙは折り曲げにより容易に弾性変形するように前記各平板本体部１３ａｘ，１３ａｙ，１３ａｚよりも板厚が薄く、折り曲げにより容易に弾性変形するように形成されている。即ち、図４に示すように、前側平板本体部１２ａｘ、左側平板本体部１２ａｙ、右側平板本体部１２ａｚは第一ヒンジ部１２ｂｘ、第二ヒンジ部１２ｂｙで折り曲げられ、また、後側平板本体部１３ａｘ，左側平板本体部１３ａｙ、右側平板本体部１３ａｚは第三ヒンジ部１３ｂｘ、第四ヒンジ部１３ｂｙで折曲げられて、帽体本体部１０Ａの展開状態が形成される。
【００３１】
図２に示す通り、前記前側平板１２の後辺部１２ｃは、正面視の状態で水平状の中央縁１２ｃｘと該中央縁１２ｃｘの左右両側に連設された外側端下がりの傾斜縁１２ｃｙ，１２ｃｚとを有している。又、同様に、図１に示す後側平板１３の前辺部１３ｃは、正面視（図７の（ａ）参照）の状態で、水平状の中央縁１３ｃｘと、中央縁１３ｃｘの左右両側に連設された外側端下がりの傾斜縁１３ｃｙ,１３ｃｚとを有している。そして、前側平板１２の後辺部１２ｃと後側平板１３の前辺部１３ｃとは、後述する折曲げ部１６に連結されている。なお、前記中央縁１２ｃｘ及び中央縁１３ｃｘは、水平状にされているが、緩やかなカーブ状にすることができるし、同様に、前側平板１２の前記傾斜縁１２ｃｙ，１２ｃｚ及び後側平板１３の傾斜縁１３ｃｙ,１３ｃｚを緩やかなカーブ状にすることができる。
【００３２】
左側平板本体部１２ａｙ、右側平板本体部１２ａｚ、左側平板本体部１３ａｙ、右側平板本体部１３ａｚには、それぞれリベット挿通孔１５，１５，１５，１５が設けられている。このリベット挿通孔１５は、折畳み式帽子用帽体１１０の内部に、使用者の頭部に固定するためのハンモック（図示せず）等の内装物を配設する際にリベット（図示せず）を挿通させるために用いられる。
【００３３】
折曲げ部１６は、平面視において略帯状に形成されている。図１乃至図３に示す通り、折曲げ部１６は、前側側縁部１４ａにおいて前側平板１２に接続され、後ろ側側縁部１４ｂにおいて後側平板１３に接続されて、前側平板１２と後側平板１３とを連結している。
【００３４】
折曲げ部１６には、図１乃至図３に示すように、折曲げ水平部１６ａと、折曲げ水平部１６ａの両端から連続する「側部」としての左側折曲げ傾斜部１６ｂ及び「側部」としての右側折曲げ傾斜部１６ｃとが形成されている。折曲げ水平部１６ａは、帽体本体部１０Ａを展開状態にして使用者が被った際、使用者の頭頂部近傍に対面する部位である。左側折曲げ傾斜部１６ｂ及び右側折曲げ傾斜部１６ｃは、帽体本体部１０Ａを展開状態にして使用者が被った際、使用者の側頭の近傍に対面する部位である。
【００３５】
折曲げ部１６の頂部すなわち折曲げ水平部１６ａには、一対の、幅方向に長い平面視略矩形の貫通孔部１７ａ、１７ｂが貫通形成されている。この貫通孔部１７ａ、１７ｂには、図５及び図６に示す通り、棒状の繋留部１８ａ、１８ｂが設けられている。繋留部１８ａ、１８ｂは貫通孔部１７ａ，１７ｂの長手方向両端部に掛け渡された状態で折曲げ水平部１６ａに配設されている。この繋留部１８ａ、１８ｂには、後述する連結紐４２の端部が止着される。
【００３６】
折曲げ部１６の側部の下部側にあたる左側折曲げ傾斜部１６ｂの下部側及び右側折曲げ傾斜部１６ｃの下部側には、それぞれ被押圧部１９が設けられている。被押圧部１９は、弾性の高い部材たとえばゴム等のエラストマやウレタン等の各種合成樹脂等によって形成されている。被押圧部１９は、折曲げ部１６と略同一幅の帯状に形成されて、左側折曲げ傾斜部１６ｂ及び右側折曲げ傾斜部１６ｃの下部側略全面に接着されている。
【００３７】
左側折曲げ傾斜部１６ｂ及び右側折曲げ傾斜部１６ｃにおいて、被押圧部１９側部の上側は、図７の（ｂ）に示すように、装着部２０が設けられている。この装着部２０は、後述するレバー装置２４が取付けられる。装着部２０には、上方に、幅方向に長い孔部である被係止部２１が貫通形成されて、被係止部２１の下方に、「孔部」としての繋留紐挿通孔部２２が貫通形成されている。
【００３８】
帽体本体部１０Ａには、左側折曲げ傾斜部１６ｂ及び右側折曲げ傾斜部１６ｃにおいて、それぞれの装着部２０には、それぞれ、展開状態保持手段２３を構成するレバー装置２４が取付けられる。
【００３９】
展開状態保持手段２３は、帽体本体部１０Ａが展開状態となった状態を保持する機能を奏する。図１に示す通り、展開状態保持手段２３は、レバー装置２４、ばね部３８、「連結部材」及び「展開保持部材」としての連結紐４２を備えている。
【００４０】
レバー装置２４は、図７の（ａ），（ｂ）に示すように、左側折曲げ傾斜部１６ｂ、及び右側折曲げ傾斜部１６ｃの装着部２０に対して着脱可能に設けられる。そのため、レバー装置２４の修理や交換を容易に行うことができる。
【００４１】
レバー装置２４は、剛性の高い合成樹脂等によって形成され、図７の（ａ），（ｂ）に示すように、ベース部材２５とレバー部材３１とを備える。
【００４２】
ベース部材２５は、略平板状に形成されている。図７の（ｂ）に示す通り、ベース部材２５の裏面側の上側には係止部２６が突設されている。係止部２６の先端部は鈎状の突起部２７が設けられている。また、ベース部材２５の裏側側の下側には、嵌合突部２９が突設されている。図７の（ｂ）に示す通り、レバー装置２４が装着部２０に装着される際に、嵌合突部２９が装着部２０の繋留紐挿通孔部２２に挿通されると共に、係止部２６が装着部２０の被係止部２１に係止されて、ベース部材２５は装着部２０に着脱可能に設けられている。
【００４３】
ベース部材２５の下側には、挿通孔部２８が貫通形成されている。図６に示すように、挿通孔部２８は、ベース部材２５が装着部２０に装着されたときに繋留紐挿通孔部２２の位置に略一致するようになっている。そして、挿通孔部２８と装着部２０の繋留紐挿通孔部２２とには、後述する通り、レバー部材３１の繋留柱部３６に繋留される連結紐４２が挿通される。
【００４４】
図７の（ｂ）に示す通り、ベース部材２５の両側部には、一対の軸受部３０，３０が設けられている。軸受部３０，３０は、側面視略Ｕ字型の孔部として形成されている。軸受部３０は、外方即ちベース部材２５の底面に対する垂直外方（図７の（ｂ）に示す矢印Ｄ方向）に突設されている。この軸受部３０には、レバー部材３１の一対の回動軸部３７，３７がそれぞれ収容されて、レバー部材３１がベース部材２５に回動可能に軸支される。
【００４５】
レバー部材３１は、把持部３２、一対の脚部３４，３４、繋留柱部３６を備え、把持部３２と一対の脚部３４，３４とに囲まれた部分に間隙部３５が形成されて、全体視略コの字状に形成されている。
【００４６】
把持部３２は、レバー部材３１の先端側に形成されている。把持部３２の裏面側は傾斜面３３が設けられ、略楔型の把持しやすい形状に形成されている。
【００４７】
レバー部材３１の把持部３２より基端側には一対の脚部３４，３４が設けられ、これら脚部３４，３４の間には間隙部３５が形成されている。
【００４８】
図７の（a）に示す通り、間隙部３５の略中央部には、棒状の繋留柱部３６が、それぞれの脚部３４，３４に掛け渡されて設けられている。後述する通り、折畳み式帽子用帽体１１０の使用状態において、繋留柱部３６には連結紐４２が繋留されて、間隙部３５の内側には連結紐４２が配設される。
【００４９】
それぞれの脚部３４，３４の基端部には、それぞれ、回動軸部３７，３７が両側方向に突設されている。この回動軸部３７，３７は、ベース部材２５の軸受部３０，３０に収容されて、レバー部材３１がベース部材２５に回動自在に軸支される。
【００５０】
レバー部材３１は一方向側（図５に示す矢印Ｅ側）及び他方向側（図５に示す矢印Ｆ側）に回動可能である。レバー部材３１が一方向側の回動最終位置に至った状態（図６に示す状態）において、レバー部材３１は、先端が上側を向いた状態で、レバー部材３１は左側折曲げ傾斜部１６ｂ及び右側折曲げ傾斜部１６ｃに沿った状態となる。回動軸部３７（図３参照）の配設位置において連結紐４２に作用する張力作用線４５（図６参照）は回動軸部３７よりも内側に位置している。即ち、繋留柱部３６の中心４４と挿通孔部２８におけるベース部材２５及び連結紐４２の当接位置４７とを結んだ、第一の仮想直線４６上に形成される張力作用線４５が、回動軸部３７の回動中心４３と挿通孔部２８におけるベース部材２５及び連結紐４２との当接位置４７を結んだ、第二の仮想直線４８よりも内側（図６に示す矢印G側）に位置している。
【００５１】
前述の通り、レバー部材３１の繋留柱部３６には一対の連結紐４２，４２が繋留されている。連結紐４２は、ポリプロピレン、アクリル樹脂等の合成樹脂製繊維等、剛性の高い素材によって形成された帯状の部材である。ただし、連結紐４２を紐状に形成してもよい。
【００５２】
連結紐４２は、レバー部材３１と、折曲げ部１６のレバー部材３１から離間した位置とを連結する。具体的には、図５及び図６に示す通り、連結紐４２，４２は帽体本体部１０Ａの内部に設けられている。図７の（ｂ）に示すように、連結紐４２の一端側は、装着部２０に設けられた繋留紐挿通孔部２２、及びレバー装置２４のベース部材２５に設けられた挿通孔部２８から外側に引き出されて、レバー部材３１の間隙部３５の繋留柱部３６に繋留された状態で止着される。連結紐４２の他端側は、折曲げ水平部１６ａのそれぞれの貫通孔部１７ａ，１７ｂに挿通されて、繋留部１８ａ，１８ｂに繋留された状態で止着される。
【００５３】
レバー部材３１の両側には、一対のばね部３８，３８が設けられている。
【００５４】
ばね部３８は金属製のねじりコイルばねである。ばね部３８は、一端側３９がレバー部材３１の把持部３２から脚部３４に渡って配設され、略中央部のコイル部４０が回動軸部３７の突設部分に位置して配設され、他端側４１がベース部材２５の一部に当接している。これにより、レバー部材３１は常にばね部３８の付勢力によって一方向（図５に示す矢印Ｅ方向）に付勢されている。なお、ばね部３８は、ねじりコイルばね以外のいかなるばねで形成してもよいし、ばね以外のいかなる弾性体で形成してもよい。
【００５５】
次に、この実施の形態１の作用について説明する。
【００５６】
この実施の形態１の折畳み式帽子用帽体１１０は、実際には帽体本体部１０Ａの内部にハンモック（図示せず）等の内装材が配設された状態で使用される。しかし、以下は説明の簡単のため、内装材に関する説明を省略する。
【００５７】
折畳み式帽子用帽体１１０は、ケース（図示せず）等に収容された状態においては、前側平板１２と後側平板１３とが近接する方向に押圧されて平板状態となり、帽体本体部１０Ａは図１に示す扁平状態となっている。また、このとき、レバー部材３１はそれぞれ先端が外側を向いた状態になっている。
【００５８】
折畳み式帽子用帽体１１０を使用する際は、ケース（図示せず）等から取り出し、使用者が帽体本体部１０Ａの両側下部を把持し、双方の被押圧部１９，１９に手を当接させて、左側折曲げ傾斜部１６ｂと右側折曲げ傾斜部１６ｃとが接近する方向にそれぞれの被押圧部１９，１９を押圧する。すると、前側平板本体部１２ａｘ、左側平板本体部１２ａｙ、右側平板本体部１２ａｚは第一ヒンジ部１２ｂｘ、第二ヒンジ部１２ｂｙで折り曲げられ、また、後側平板本体部１３ａｘ，左側平板本体部１３ａｙ、右側平板本体部１３ａｚは第三ヒンジ部１３ｂｘ、第四ヒンジ部１３ｂｙで折曲げられる。その結果、帽体本体部１０Ａは、図１に示す扁平状態から、図２に示す状態に変形し、さらに、図３及び図４に示す、帽体本体部１０Ａの展開状態が形成される。
【００５９】
この実施の形態１の折畳み式帽子用帽体１１０は、帽体本体部１０Ａの被押圧部１９を押圧すれば、レバー部材３１の操作をしなくても帽体本体部１０Ａを展開状態とすることができるため、極めて簡単に展開状態とすることができる。
【００６０】
ここで、扁平状態の帽体本体部１０Ａの被押圧部１９を押圧すると、レバー装置２４は、ばね部３８の付勢力により一方向側に回動する。即ち、被押圧部１９が押圧されて前側平板１２と後側平板１３とが変形し、帽体本体部１０Ａが変形する。これに伴い、例えば図５及び図６に示す左側の連結紐４２においては、繋留紐挿通孔部２２及び挿通孔部２８と連結紐４２の当接位置４７と、繋留部１８ｂとの距離が狭まり、連結紐４２の緊張が緩む。同様に図５及び図６に示す右側の連結紐４２も緊張が緩む。その結果、ばね部３８の付勢力によって、連結紐４２の撓んだ部分が繋留紐挿通孔部２２及び挿通孔部２８から外側に引き出されて、レバー部材３１が一方向（図５に示す矢印Ｅ方向）に回動する。そして、帽体本体部１０Ａが展開状態となったときには、図６に示すように、レバー部材３１が一方向側の回動終端位置に至り、把持部３２が回動軸部３７よりも上側に位置した状態となる（図３参照）。
【００６１】
ばね部３８の付勢力でレバー装置２４が一方向に付勢されることにより、左側折曲げ傾斜部１６ｂ及び右側折曲げ傾斜部１６ｃの装着部２０に装着された状態で帽体本体部１０Ａが展開状態になると、図６に示すように、レバー部材３１は、先端が上側を向いた状態（この状態がレバー部材３１の一方向側の回動最終位置）で、レバー部材３１は左側折曲げ傾斜部１６ｂ及び右側折曲げ傾斜部１６ｃに沿った状態となる。
【００６２】
なお、帽体本体部１０Ａが展開状態のときは、図６に示すように、レバー部材３１の回動軸部３７の配設位置において、連結紐４２に作用する張力作用線４５は、回動軸部３７の回動中心４３よりも内側（図６に示す矢印G側）に位置している。この状態において、レバー部材３１は、連結紐４２の張力により、内側方向に引っ張られて、レバー部材３１は図６に示す一方向側の回動最終位置で固定される。そのため、展開状態になった帽体本体部１０Ａは、そのまま展開状態が維持されることになる。
【００６３】
一方、図３に示す、帽体本体部１０Ａの展開状態を解除したいときは、使用者は、レバー部材３１を把持し、ばね部３８の付勢力に抗して、レバー部材３１を他方向（図５に示す矢印Ｆ方向）に回動させる。レバー部材３１が他方向に回動されると、レバー部材３１に加わっていた連結紐４２の張力が解放される。また、レバー部材３１の回動に伴って、連結紐４２に作用する張力作用線４５（図６参照）が、回動軸部３７の回動中心４３よりも外側に移動すると、レバー部材３１を内側方向に引っ張る力は消滅する。そして、さらにレバー部材３１を他方向に回動させると、帽体本体部１０Ａの展開状態は解除され、前側平板１２と後側平板１３の平板状態に戻ろうとする力が連結紐４２の張力となってレバー部材３１を他方向に引っ張る。これにより、外側に引き出された連結紐４２の一部が繋留紐挿通孔部２２及び挿通孔部２８から帽体本体部１０Ａの内部に引き込まれ、レバー部材３１は他方向に回動し、帽体本体部１０Ａは、図３に示す展開状態から図２に示す状態、更に図１に示す扁平状態となる。これにより、折畳み式帽子用帽体１１０をコンパクトな形状とし、収納等を容易に行うことができる。
【００６４】
次に、帽体本体部１０Ａの装着部２０にレバー装置２４を装着させる場合を考える。この場合、図７の（ｂ）に示すように、装着部２０の繋留紐挿通孔部２２の位置にレバー装置２４のベース部材２５の嵌合突部２９を、装着部２０の被係止部２１の位置にベース部材２５の係止部２６をそれぞれ合わせる。この状態で、ベース部材２５を装着部２０の位置に押し込むと、嵌合突部２９が繋留紐挿通孔部２２の一部に嵌合され、係止部２６の突起部２７が被係止部２１に係止されて、レバー装置２４の装着部２０への装着が完了する。
【００６５】
一方、帽体本体部１０Ａの装着部２０に装着されたレバー装置２４を取り外す場合は、使用者はベース部材２５を把持して、左側折曲げ傾斜部１６ｂ及び右側折曲げ傾斜部１６ｃの面方向に沿って下方に押圧する。すると、嵌合突部２９が弾性変形してベース部材２５が下方に移動し、その結果係止部２６の突起部２７と被係止部２１との係止状態が解除される。この状態でレバー装置２４を外側（図７の（ｂ）に示す矢印Ｄの方向）に引っ張ると、ベース部材２５が装着部２０から離脱し、レバー装置２４を装着部２０から取り外すことができる。
【００６６】
このようにして、この実施の形態１の折畳み式帽子用帽体１１０においては、レバー装置２４を帽体本体部１０Ａと着脱可能とし、レバー装置２４の修理や交換を容易に行うことができる。
【００６７】
以上示した通り、この実施の形態１においては、帽体本体部１０Ａの左側折曲げ傾斜部１６ｂ及び右側折曲げ傾斜部１６ｃが互いに接近されることにより、ばね部３８の付勢力によりレバー部材３１が一方向に回動されて、連結紐４２の張力によって展開状態が維持されることにより、帽体本体部１０Ａを展開状態にする際に、左側折曲げ傾斜部１６ｂ及び右側折曲げ傾斜部１６ｃが互いに接近する方向に帽体本体部１０Ａを押圧すれば、レバー部材３１の操作をしなくても帽体本体部１０Ａを展開状態とし、展開状態を維持できるため、極めて簡単に帽体本体部１０Ａを展開状態とすると共に展開状態を維持することができる。これにより、小さい力で容易に扁平状態から展開状態にすることができて、災害時等に利便性の高い折畳み式帽子用帽体１１０を提供できる。
【００６８】
この実施の形態１においては、ばね部３８の付勢力によりレバー部材３１が一方向に回動されて帽体本体部１０Ａが展開状態となって、連結紐４２によって展開状態が保持されることにより、帽体本体部１０Ａを展開状態とする際に使用者の加える力とばね部３８の付勢力とがそれぞれ帽体本体部１０Ａを展開状態とする方向の力として加わることになり、使用者が帽体本体部１０Ａに加える力は小さい力で済むと共に、帽体本体部１０Ａの展開状態が維持される。これにより、小さい力で容易に扁平状態から展開状態にすることができて、災害時等に利便性の高い折畳み式帽子用帽体１１０を提供できる。
【００６９】
この実施の形態１においては、左側折曲げ傾斜部１６ｂ及び右側折曲げ傾斜部１６ｃの下部側に帽体本体部１０Ａを展開状態とする際に押圧される被押圧部１９，１９が設けられることにより、使用者が帽体本体部１０Ａの下側両側部を把持した状態で被押圧部１９，１９を押圧して帽体本体部１０Ａを展開状態とすることができるため、より弱い力で展開状態にできる。
【００７０】
この実施の形態１においては、帽体本体部１０Ａが展開状態のとき、回動軸部３７の配設位置において連結紐４２に作用する張力作用線４５は回動軸部３７よりも内側に位置するように設けられているため、レバー部材３１は、連結紐４２の張力によって、他方向側へ回動させる力が作用することなく一方向側に引っ張られて回動最終位置まで回動して固定され、帽体本体部１０Ａの展開状態が維持されることとなる。これにより、操作性の一層良好な折畳み式帽子用帽体１１０を提供できる。
【００７１】
この実施の形態１においては、レバー部材３１はベース部材２５に回動軸部３７を介して回動自在に取付けられ、ベース部材２５が帽体本体部１０Ａに対して着脱可能に設けられたことにより、レバー部材３１の修理や交換を容易に行うことができて、長期間使用できる折畳み式帽子用帽体１１０を提供できる。
【００７２】
この実施の形態１においては、レバー部材３１が一方向に回動されて帽体本体部１０Ａが展開状態となるとレバー部材３１は左側折曲げ傾斜部１６ｂ及び右側折曲げ傾斜部１６ｃに沿った状態となることにより、展開状態においてレバー部材３１は展開状態を維持する位置に固定される。また、展開状態の帽体本体部１０Ａにおいてレバー部材３１が他方向に回動されると帽体本体部１０Ａの展開状態が解除されることにより、使用者は、展開状態の帽体本体部１０Ａの被押圧部１９に手を当接させた状態でレバー部材３１を下方に回動させれば、容易に展開状態を解除できる。これにより、展開状態を確実に維持でき、一層操作性の高い折畳み式帽子用帽体１１０を提供できる。
【００７３】
なお、上記実施の形態１においては、帽体本体部１０Ａが展開状態となったとき、前側平板１２と後側平板１３とは、前側平板１２の各平板本体部１２ａｘ，１２ａｙ，１２ａｚ、後側平板１３の各平板本体部１３ａｘ，１３ａｙ，１３ａｚのそれぞれは、第一〜第四ヒンジ部１２ｂｘ，１２ｂｙ，１３ｂｘ，１３ｂｙから折り曲げられて湾曲状態となるものとしたが、これに限らず、前側平板１２と後側平板１３の略全面が湾曲して湾曲状態となるように形成してもよい。
【００７４】
また、上記実施の形態１においては、帽体本体部１０Ａを構成する前側平板１２と後側平板１３とは、略平板状態で形状が安定するように形成されているものとしたが、逆に、前側平板１２と後側平板１３とが展開された状態で形状が安定するように形成してもよい。
【００７５】
また、上記実施の形態１においては、被押圧部１９を押圧することで帽体本体部１０Ａの側部が互いに接近され帽体本体部１０Ａを展開状態とするものとしたが、使用者が帽体本体部１０Ａの前側平板１２の前側下端部及び後側平板１３の後側下端部をそれぞれ把持し、前後方向（図５における、同図が表された紙面に対する垂直方向）に引っ張ることで帽体本体部１０Ａの側部が互いに接近され帽体本体部１０Ａを展開状態とする構成としてもよい。
【００７６】
また、上記実施の形態１においては、帽体本体部１０Ａが前側平板１２と後側平板１３とが折曲げ部１６で連結されて前後方向に折り畳まれて扁平状態となる構成としたが、これに代えて、帽体本体部１０Ａが右側平板と左側平板とを備え、左右方向に折り畳まれて扁平状態となる構成としてもよい。また、頭部を被覆する複数枚の板体を備えた帽体本体部１０Ａを備え、これらの板体がそれぞれ特定の形状に組み立てられたり湾曲したり折曲げられたりすることで帽体本体部１０Ａが展開状態となり、かつ、展開状態が解除されることで帽体本体部１０Ａが扁平状態となる構成としてもよい。
【００７７】
［発明の実施の形態２］
図８に、この発明の実施の形態２を示す。
【００７８】
この実施の形態２の折畳み式帽子用帽体１２０は、レバー装置２４のベース部材２５が帽体本体部１０Ｂの左側折曲げ傾斜部１６ｂ、及び右側折曲げ傾斜部１６ｃに対して着脱可能に設けられた点は実施の形態１と同じだが、図８に示す通り、帽体本体部１０Ｂが展開状態となるとレバー部材３１は先端が下側を向いて左側折曲げ傾斜部１６ｂ、及び右側折曲げ傾斜部１６ｃに沿った状態となる点、及び、展開状態の帽体本体部１０Ｂにおいてレバー部材３１が他方向である上方に回動されると帽体本体部１０Ｂの展開状態が解除されるように構成されている。それ以外の構成は実施の形態１と同じである。
【００７９】
この実施の形態２においては、レバー部材３１が他方向に回動されて帽体本体部１０Ｂが展開状態となるとレバー部材３１は側部に沿った状態となることにより、展開状態においてレバー部材３１は展開状態を維持する位置に固定される。また、展開状態においてレバー部材３１が上方に向けて押圧されると展開状態が解除されることにより、使用者は、展開状態の帽体本体部１０Ｂの被押圧部１９に手を当接させた状態でレバー部材３１を上方に回動させれば、容易に展開状態を解除できる。これにより、展開状態を確実に維持でき、一層操作性の高い折畳み式帽子用帽体１２０を提供できる。
【００８０】
[発明の実施の形態３]
図９に、この発明の実施の形態３を示す。
【００８１】
この発明の実施の形態３の折畳み式帽子用帽体１３０は、レバー装置２４のベース部材２５が帽体本体部１０Ｃに対して着脱可能に設けられた点は実施の形態１及び２と同じだが、図９に示す通り、レバー装置２４のベース部材２５は、それぞれ折曲げ水平部１６ａに設けられている。また、一方側の貫通孔部１７ａ及び繋留部１８ａは左側折曲げ傾斜部１６ｂに設けられ、他方側の貫通孔部（図示せず）及び繋留部（図示せず）は右側折曲げ傾斜部１６ｃに設けられている。図９に示すように、帽体本体部１０Ｃが展開状態となるとレバー部材３１はそれぞれ先端が内側を向いて折曲げ水平部１６ａに沿った状態となって、帽体本体部１０Ｃの展開状態が維持される。展開状態において、レバー部材３１を外側に回動させると、帽体本体部１０Ｃの展開状態が解除される。それ以外の構成は実施の形態１及び２と同じである。
【００８２】
この実施の形態３においては、レバー部材３１が折曲げ水平部１６ａに設けられ、帽体本体部１０Ｃが展開状態となるとレバー部材３１はそれぞれ先端が内側を向いて折曲げ水平部１６ａに沿った状態となるため、展開状態の解除を行う際、折畳み式帽子用帽体１３０の頂部側で確実に操作を行うことができる。
【００８３】
[発明の実施の形態４]
図１０に、この実施の形態４を示す。
【００８４】
この実施の形態４の折畳み式帽子用帽体１４０は、レバー装置２４のベース部材２５が帽体本体部１０Ｄの折曲げ水平部１６ａに設けられている点、及び、一方側の貫通孔部１７ａ及び繋留部１８ａは左側折曲げ傾斜部１６ｂに設けられ、他方側の貫通孔部（図示せず）及び繋留部（図示せず）は右側折曲げ傾斜部１６ｃに設けられている点は実施の形態３と同じだが、図１０に示すように、帽体本体部１０Ｄが展開状態となるとレバー部材３１はそれぞれ先端が外側を向いて折曲げ水平部１６ａに沿った状態となって、帽体本体部１０Ｄの展開状態が維持される。展開状態において、レバー部材３１を内側に回動させると、帽体本体部１０Ｄの展開状態が解除される。それ以外の構成は実施の形態３と同じである。
【００８５】
この実施の形態４においては、レバー部材３１が折曲げ水平部１６ａに設けられ、帽体本体部１０Ｄが展開状態となるとレバー部材３１はそれぞれ先端が外側を向いて折曲げ水平部１６ａに沿った状態となるため、展開状態の解除を行う際、折畳み式帽子用帽体１４０の頂部側で確実に操作を行うことができる。
【００８６】
なお、上記各実施の形態は本発明の例示であり、本発明が上記各実施の形態のみに限定されることを意味するものではないことは、いうまでもない。
【符号の説明】
【００８７】
１１０，１２０，１３０，１４０・・・折畳み式帽子用帽体
１０Ａ，１０Ｂ，１０Ｃ，１０Ｄ・・・帽体本体部
１２・・・前側平板（板体）
１３・・・後側平板（板体）
１６・・・折曲げ部
１６ｂ・・・左側折曲げ傾斜部（側部）
１６ｃ・・・右側折曲げ傾斜部（側部）
１９・・・被押圧部
２２・・・繋留紐挿通孔部（孔部）
２３・・・展開状態保持手段
２５・・・ベース部材
２８・・・挿通孔部
３１・・・レバー部材
３７・・・回動軸部
３８・・・ばね部
４２・・・連結紐（連結部材，展開保持部材）
４５・・・張力作用線
【図１】
0005882096.tif 000002
【図２】
0005882096.tif 000003
【図３】
0005882096.tif 000004
【図４】
0005882096.tif 000005
【図５】
0005882096.tif 000006
【図６】
0005882096.tif 000007
【図７】
0005882096.tif 000008
【図８】
0005882096.tif 000009
【図９】
0005882096.tif 000010
【図１０】
0005882096.tif 000011